(57)【要約】【課題】  照明装置を天井に埋込み設置する場合、照明装置の電源ユニットケース３ａの端部が天井裏面と擦れて傷付いたり、或いは電源ユニットケース３ａが電源線に引掛かったり、電源線に乗り上げることで電源線を傷つけ安全性を損なうとの課題を生じている。【解決手段】  光源基板５を備える照明装置本体１と、前記照明装置本体１に電力を供給する電源回路を箱体で覆い保持した電源ユニット３と、前記照明装置本体１と前記電源ユニット３が、一方向に回動するよう前記照明装置本体１と前記電源ユニット３を接続する固定部２を備え、前記電源ユニット３には、少なくとも一つ支持脚３ｃを備え、前記支持脚３ｃ先端を、平滑性を与える表面処理を施した接触部とすることを特徴とする。【選択図】          図１
2015056242.tif 000002
【特許請求の範囲】
【請求項１】
光源基板を備える照明装置本体と、
前記照明装置本体に電力を供給する電源回路を箱体で覆い保持した電源ユニットと、
前記照明装置本体と前記電源ユニットが、上下方向に回動するよう前記照明装置本体と前記電源ユニットを接続する固定部を備え、
前記電源ユニットには支持脚を備え
前記支持脚先端を、平滑性を与える表面加工を施した接触部とする
ことを特徴とする照明装置。
【請求項２】
前記支持脚は、前記電源ユニットの照明装置本体との接続側と対向する位置に備えることを特徴とする請求項１の照明装置。
【請求項３】
前記支持脚先端の接触部は、平板端部の曲加工で形成した
ことを特徴とする請求項１または請求項２記載の照明装置。
【請求項４】
前記支持脚先端の接触部は、鋭角曲げ加工またはＲ曲げ加工である
ことを特徴とする請求項３記載の照明装置。
【請求項５】
前記支持脚先端の平滑性を与える表面加工は、樹脂性コーティングまたは鍍金であることを特徴とする請求項１ないし請求項４記載の照明装置。
【請求項６】
前記支持脚先端の平滑性を与える表面加工は、樹脂性コーティングまたは鍍金を施した被覆材を装着することを特徴とする請求項５記載の照明装置。
【発明の詳細な説明】
【背景技術】
【０００１】
天井面に設けた筒状の穴に埋め込み設置し、天井下の空間に向けて光を照射するダウンライトと呼ばれる照明装置では、光源を含む照明装置本体と前記の照明装置本体に接続され、電源基板や他の制御回路基板を箱体内に収納した電源ユニットにて構成されており、これらを天井板に設けた穴に挿通し設置する。
【０００２】
また、天井裏の高さ空間には制限があることから、照明装置本体に対して電源ユニットは上下方向に回動可能となるように接続して、天井板の厚さや天井裏面の空間条件に応じ電源ユニットが照明装置本体と一定の角度なし設置する照明装置がある（特許文献１の図１参照、特許文献２の図１参照。）。
【先行技術文献】
【特許文献】
【０００３】
【特許文献１】特開平５−２８８１８号公報
【特許文献２】特開２０１１−７０８５９号公報
【発明の概要】
【発明が解決しようとする課題】
【０００４】
しかし、前述の照明装置が設置される室内の天井裏は、天井板を吊り下げ固定するため、溝型鋼等が用いられており、さらに天井裏面には通常多くの電源線が敷かれていることから、天井裏面が平坦であることは稀であり、そのため照明装置を天井に埋込み設置する場合、照明装置の電源ユニットケースの端部が天井裏面と擦れて傷付いたり、或いは電源ユニットケースが電源線に引掛かかったり、電源線に乗り上げることで電源線を傷つけ安全性を損なうとの課題がある。
前述の課題について、例えば特許文献２に記載の照明装置では、電源ユニットに平板で形成した支持脚を備えており、電電ユニットが直接天井裏面や障害物と接触しない構造であるが、支持脚の先端部は、板材を直角に曲げたものが記載されているため、支持脚の先端が天井裏面と接触する場合、面接触となり摩擦を受け引っ掛かり易い構造のままである。また電源線が障害物となる場合には、支持脚先端が引っ掛かり易く、電源線を乗り上げたり、乗り越えたりすることが難しく、電源線の傷防止対策として十分なものではない。
【課題を解決するための手段】
【０００５】
本発明の請求項１に係る照明装置は、前述の課題を解決するため、
光源基板を備える照明装置本体と、
前記照明装置本体に電力を供給する電源回路を箱体で覆い保持した電源ユニットと、
前記照明装置本体と前記電源ユニットが、一方向に回動するよう前記照明装置本体と前記電源ユニットを接続する固定部を備え、
前記電源ユニットには、少なくとも一つ支持脚を備え、
前記支持脚先端を、平滑性を与える表面処理を施した接触部とすることを特徴とするものである。
【発明の効果】
【０００６】
本発明の照明装置は、電源ユニットに設けた支持脚の先端が平滑性を与える表面処理を施していることから、天井裏面に凹凸部や電源線等の障害物が存在し平坦な面が保たれない場合であっても、電源ユニットの支持脚先端の接触部が障害物を容易に乗り上げ、乗り越えられる構造としているため、照明装置を設置する際の施工性が向上するとともに、電源ユニットや電源線の損傷を防ぎ安全性も向上することができるとの効果が期待できるものである。
【図面の簡単な説明】
【０００７】
【図１】本発明の実施形態を示す照明装置の斜視図である。
【図２】本発明の実施形態を示す照明装置の分解斜視図である。
【図３】本発明の実施形態を示す照明装置の取付け時（障害物有）の側面図である。
【図４】本発明の実施形態を示す照明装置の取付け時の側面図である。
【発明を実施するための形態】
【０００８】
以下、本発明の実施形態について、図１ないし図３を用い説明する。図１、図２で概円筒状の形状で示される照明装置本体１（以下本体と呼ぶ）は、光を照射する面に、円板状の絶縁シート４と発光素子であるＬＥＤ５ａを複数搭載した光源基板５が取り付けられ、さらに光源基板５の外側に、配光を制御するための拡散カバー６と反射板７が取り付けられる。
【０００９】
拡散カバー６は光源基板５のＬＥＤ５ａからの光を拡散させ、輝度の集中を緩和し、光源であるＬＥＤ５ａの粒々感を低減させるものである。
【００１０】
また、照明装置を、天井に設けた円筒状の穴に埋め込むため、本体１の側面と穴の内面を複数の板ばねが保持するよう、本体１の側面付近には、取り付けバネ８を備えている。
【００１１】
照明点灯時に光源基板５が発する熱は、光の照射方向と反対側、即ち照明装置を天井に設置した際に、天井裏の空間に放熱できるように、導電性の高い金属やセラミックス等を用いた複数の板からなる放熱部１ａを備えている。
【００１２】
さらに、図１及び図２にて示すように、本体１は、直結する固定部２を介して電源ユニット３と接続され、本体１と電源ユニット３は互いに天井裏面側となる下方向と反対側である上方向に回動可能となる構造となる。
【００１３】
電源ユニット３は、放熱性を有するように薄板の箱であるケース３ａとケース３ａ内に電源基板やインバーター回路基板（ともに図示せず）を収納し、これら基板の電力供給口となる電源端子台３ｂを備えており、この電源端子台３ｂに商用電源からの電力が供給される。
【００１４】
このように、電源基板やインバーター回路基板が電力を受けることで所望の出力電力に変換し、配線を通じて光源基板５へ出力することで光源基板５のＬＥＤ５ａを点灯させている。
【００１５】
また、ケース３ａは、電源端子台３ｂと電源基板の充電部（図示せず）が接触することを防止するカバーとして、一般的に熱伝導性の良い薄い金属板の材料を曲げ加工で概ね中空の直方体に形成したものが有効である。
【００１６】
そして電源ユニット３は、天井裏面方向を下方向として、上下に回動可能となるよう固定軸も兼ねた回転軸２ａと固定部２を介して本体１に接続され、本体１についても、電源ユニット３と同様に、固定部２によって回動可能に接続されることにより、照明器具を取り付ける際に、天井裏の高さに規制がある場合でも、施工性が損なわれずに設置することができるものである。
【００１７】
図４で示すように、電源ユニット３のケース３ａには、固定部２の回転軸２ａと離れたケース３ａ端部に支持脚３ｃを備えることで、器具を天井へ取り付けた際に、電源ユニット３を出来るだけ水平に保つことができ、ケース３ａ内部で発生し滞留する熱が均等になり、電源基板への過度な熱の集中を緩和することができる。
【００１８】
なお、支持脚３ｃは、図１ないし図４で示す位置に限定するものではなく、電源ユニット３と固定部２の接続部から十分に遠い位置で、ケース３ａの長手方向の端部に設けていれば、ケース３ａのいずれの面にあっても同様の効果が得られる。
【００１９】
照明器具が天井内に取り付けられる際に電源ユニット３は、天井面と接触し擦れながら固定部２側の回転軸２ａにより上下に可動するため、摩擦による抵抗が発生し、電源ユニットの移動がスムーズに行われないことがある。
【００２０】
そのため、支持脚３ｃの先端の接触部３ｄは天井面に対して接触面積を極力少なくするよう曲げ加工を施した上、平滑性を与える（付加する）表面処理または加工をすることで、図３に示すように電源ユニット３に設けた支持脚３ｃは天井裏面に電源線等の障害物９や、天井裏の梁などの凹凸が存在した場合であっても、平滑性を与えることにより、容易に乗り越え移動することができるものである。  
【００２１】
平滑性を与える支持脚３ｃまたは接触部３ｄの表面加工として、フッ素樹脂に代表されるすべり性の高い樹脂による塗装処理や、ニッケル-クロムめっきに代表的される金属めっき処理があり、図２または図４（ｂ）で示すように前記の表面加工施した被覆材１０を別途製作して、支持脚３ｃ先端の接触部３ｄを被覆する方法を用いても良い。
【００２２】
以上の様に本発明の照明装置は、電源ユニット３に設けた支持脚３ｃが天井裏面や障害物９と接触する接触部３ｄの表面に平滑性を与える表面加工を施すことにより、引っ掛かりや摩擦を小さくすることができ、照明装置の施工性や安全性を向上するものである。
【符号の説明】
【００２３】
１  本体、２  固定部、２ａ  回転軸、３  電源ユニット、３ａ  ケース、３ｂ    電源端子台、３ｃ  支持脚、３ｄ  接触部、４  絶縁シート、５  光源基板、５ａ    ＬＥＤ、６  拡散カバー、７  反射板、８  取付バネ、９  障害物  １０  被覆材。
【図１】
2015056242.tif 000003
【図２】
2015056242.tif 000004
【図３】
2015056242.tif 000005
【図４】
2015056242.tif 000006